(57)【要約】  本技術は、より確実に、チャンネルボンディングを行うことができるようにする送信装置、受信装置、及び、データ処理方法に関する。チャンネルボンディングを構成する周波数帯域のグループを識別する第１の識別情報と、グループに属する周波数帯域を識別する第２の識別情報とを含めた物理層シグナリングを生成し、物理層シグナリングを含む放送信号であって、中継装置により周波数帯域が変更される放送信号を、所定の周波数帯域を利用して送信する送信装置が提供される。本技術は、例えば、チャンネルボンディングを利用した放送システムに適用することができる。
2018163813.tif 000002
【特許請求の範囲】
【請求項１】
チャンネルボンディングを構成する周波数帯域のグループを識別する第１の識別情報と、前記グループに属する周波数帯域を識別する第２の識別情報とを含めた物理層シグナリングを生成する生成部と、
前記物理層シグナリングを含む放送信号であって、中継装置により周波数帯域が変更される前記放送信号を、所定の周波数帯域を利用して送信する送信部と
を備える送信装置。
【請求項２】
前記第１の識別情報は、物理層の周波数帯域に割り当てられる識別子であり、
前記第２の識別情報は、前記グループ内で固有な値であって、送信時に利用される周波数帯域に割り当てられる識別子である
請求項１に記載の送信装置。
【請求項３】
前記第１の識別情報は、前記グループ内で共通であって、物理層の周波数帯域のうち、前記グループ内のいずれかの周波数帯域に割り当てられる識別子である
請求項２に記載の送信装置。
【請求項４】
前記物理層シグナリングは、前記第１の識別情報と前記第２の識別情報との組を、一組のみ含んでいる
請求項２に記載の送信装置。
【請求項５】
前記物理層シグナリングは、前記グループに属する周波数帯域の個数に応じたループ内に、前記第１の識別情報と前記第２の識別情報との組とともに、将来の予約の領域を含んでいる
請求項２に記載の送信装置。
【請求項６】
前記チャンネルボンディングは、PLP(Physical Layer Pipe)レベルで行われる
請求項１に記載の送信装置。
【請求項７】
前記チャンネルボンディングの対象外のPLPで、物理層よりも上位となる上位層のシグナリングとして、前記チャンネルボンディングに関する情報を含める
請求項６に記載の送信装置。
【請求項８】
前記放送信号は、前記物理層シグナリングとともに、１つのストリームから分割された分割ストリームを含む
請求項１に記載の送信装置。
【請求項９】
前記送信装置は、送信所に設置され、
前記中継装置は、中継所に設置され、
前記送信装置と前記中継装置とは、複数周波数ネットワーク（MFN：Multi Frequency Networks）を構成している
請求項１に記載の送信装置。
【請求項１０】
送信装置のデータ処理方法において、
前記送信装置が、
チャンネルボンディングを構成する周波数帯域のグループを識別する第１の識別情報と、前記グループに属する周波数帯域を識別する第２の識別情報とを含めた物理層シグナリングを生成し、
前記物理層シグナリングを含む放送信号であって、中継装置により周波数帯域が変更される前記放送信号を、所定の周波数帯域を利用して送信する
ステップを含むデータ処理方法。
【請求項１１】
送信装置から送信されてくる放送信号であって、中継装置により周波数帯域が変更される前記放送信号を受信する受信部を備え、
前記受信部は、前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングを処理する
受信装置。
【請求項１２】
前記第１の識別情報は、物理層の周波数帯域に割り当てられる識別子であり、
前記第２の識別情報は、前記グループ内で固有な値であって、送信時に利用される周波数帯域に割り当てられる識別子である
請求項１１に記載の受信装置。
【請求項１３】
前記第１の識別情報は、前記グループ内で共通であって、物理層の周波数帯域のうち、前記グループ内のいずれかの周波数帯域に割り当てられる識別子である
請求項１２に記載の受信装置。
【請求項１４】
前記物理層シグナリングは、前記第１の識別情報と前記第２の識別情報との組を、一組のみ含んでいる
請求項１２に記載の受信装置。
【請求項１５】
前記物理層シグナリングは、前記グループに属する周波数帯域の個数に応じたループ内に、前記第１の識別情報と前記第２の識別情報との組とともに、将来の予約の領域を含んでいる
請求項１２に記載の受信装置。
【請求項１６】
前記チャンネルボンディングは、PLPレベルで行われる
請求項１１に記載の受信装置。
【請求項１７】
前記チャンネルボンディングの対象外のPLPで、物理層よりも上位となる上位層のシグナリングとして、前記チャンネルボンディングに関する情報を含める
請求項１６に記載の受信装置。
【請求項１８】
前記放送信号は、前記物理層シグナリングとともに、１つのストリームから分割された分割ストリームを含み、
前記分割ストリームを処理する処理部をさらに備え、
前記受信部は、前記チャンネルボンディングで利用される周波数帯域ごとに設けられ、
前記処理部は、前記受信部により受信される複数の前記放送信号から得られる複数の分割ストリームを処理して、元のストリームを再構成する
請求項１１に記載の受信装置。
【請求項１９】
前記送信装置は、送信所に設置され、
前記中継装置は、中継所に設置され、
前記送信装置と前記中継装置とは、複数周波数ネットワーク（MFN）を構成している
請求項１１に記載の受信装置。
【請求項２０】
受信装置のデータ処理方法において、
前記受信装置が、
送信装置から送信されてくる放送信号であって、中継装置により周波数帯域が変更される前記放送信号を受信し、
前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングを処理する
ステップを含むデータ処理方法。
【発明の詳細な説明】
【技術分野】
【０００１】
本技術は、送信装置、受信装置、及び、データ処理方法に関し、特に、より確実に、チャンネルボンディングを行うことができるようにした送信装置、受信装置、及び、データ処理方法に関する。
【背景技術】
【０００２】
デジタル放送において、複数のチャンネル（周波数帯域）を結合して使用するチャンネルボンディング（Channel Bonding）が知られている。例えば、次世代地上放送規格の１つであるATSC(Advanced Television Systems Committee)3.0においても、チャンネルボンディングが規定されている（例えば、非特許文献１参照）。
【先行技術文献】
【非特許文献】
【０００３】
【非特許文献１】ATSC Standard：Physical Layer Protocol (A/322)
【発明の概要】
【発明が解決しようとする課題】
【０００４】
ところで、チャンネルボンディングを利用して放送信号を伝送する場合に、放送信号を中継する中継装置において、周波数帯域の変更が行われると、受信装置では、チャンネルボンディングを構成する信号を検知することができない場合がある。そのため、より確実に、チャンネルボンディングを行うための提案が求められていた。【０００５】
本技術はこのような状況に鑑みてなされたものであり、より確実に、チャンネルボンディングを行うことができるようにするものである。
【課題を解決するための手段】
【０００６】
本技術の第１の側面の送信装置は、チャンネルボンディングを構成する周波数帯域のグループを識別する第１の識別情報と、前記グループに属する周波数帯域を識別する第２の識別情報とを含めた物理層シグナリングを生成する生成部と、前記物理層シグナリングを含む放送信号であって、中継装置により周波数帯域が変更される前記放送信号を、所定の周波数帯域を利用して送信する送信部とを備える送信装置である。【０００７】
本技術の第１の側面の送信装置は、独立した装置であってもよいし、１つの装置を構成している内部ブロックであってもよい。また、本技術の第１の側面のデータ処理方法は、上述した本技術の第１の側面の送信装置に対応するデータ処理方法である。【０００８】
本技術の第１の側面の送信装置、及び、データ処理方法においては、チャンネルボンディングを構成する周波数帯域のグループを識別する第１の識別情報と、前記グループに属する周波数帯域を識別する第２の識別情報とを含めた物理層シグナリングが生成され、前記物理層シグナリングを含む放送信号であって、中継装置により周波数帯域が変更される前記放送信号が、所定の周波数帯域を利用して送信される。【０００９】
本技術の第２の側面の受信装置は、送信装置から送信されてくる放送信号であって、中継装置により周波数帯域が変更される前記放送信号を受信する受信部を備え、前記受信部は、前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングを処理する受信装置である。【００１０】
本技術の第２の側面の受信装置は、独立した装置であってもよいし、１つの装置を構成している内部ブロックであってもよい。また、本技術の第２の側面のデータ処理方法は、上述した本技術の第２の側面の受信装置に対応するデータ処理方法である。【００１１】
本技術の第２の側面の受信装置、及び、データ処理方法においては、送信装置から送信されてくる放送信号であって、中継装置により周波数帯域が変更される前記放送信号が受信され、前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングが処理される。
【発明の効果】
【００１２】
本技術の第１の側面、及び、第２の側面によれば、より確実に、チャンネルボンディングを行うことができる。【００１３】
なお、ここに記載された効果は必ずしも限定されるものではなく、本開示中に記載されたいずれかの効果であってもよい。
【図面の簡単な説明】
【００１４】
【図１】現状の規格のシグナリングを用いたチャンネルボンディングを説明する図である。
【図２】現状のL1Dシグナリングのシンタックスの例を示す図である。
【図３】本技術を適用したシグナリングを用いたチャンネルボンディングを説明する図である。
【図４】本技術を適用したシグナリングを用いたチャンネルボンディングを説明する図である。
【図５】本技術を適用したL1Dシグナリングのシンタックスの第１の例を示す図である。
【図６】本技術を適用したL1Dシグナリングのシンタックスの第２の例を示す図である。
【図７】PLPレベルのチャンネルボンディングの例を示す図である。
【図８】チャンネルボンディングのシグナリングを上位層で行う場合の例を示す図である。
【図９】送信装置の構成例を示すブロック図である。
【図１０】受信装置の構成例を示すブロック図である。
【図１１】送信側と受信側のデータ処理の流れを説明するフローチャートである。
【図１２】コンピュータの構成例を示す図である。
【発明を実施するための形態】
【００１５】
以下、図面を参照しながら本技術の実施の形態について説明する。なお、説明は以下の順序で行うものとする。
【００１６】
１．本技術のチャンネルボンディング
２．シグナリングの例
３．上位層でのシグナリングの例
４．送信側と受信側の処理の例
５．変形例
６．コンピュータの構成
【００１７】
＜１．本技術のチャンネルボンディング＞
【００１８】
（現状のチャンネルボンディング）
まず、図１を参照しながら、現状の規格のシグナリングを用いたチャンネルボンディングについて説明する。
【００１９】
図１において、放送システム１は、送信所１１−１，１１−２に設置される送信装置１０−１，１０−２と、中継所２１−１，２１−２に設置される中継装置２０−１，２０−２と、家庭内に設置される受信装置３０とから構成される。
【００２０】
送信装置１０−１は、送信所１１−１に設置された送信用アンテナを介して、放送信号を送信する。例えば、送信装置１０−１は、放送局側のデータ処理装置（不図示）から送信されてくるコンテンツ（例えば、放送番組等）のデータに対して、変調や誤り訂正等の処理を施し、その結果得られる放送信号を、送信所１１−１の送信用アンテナにより送信する。
【００２１】
送信所１１−１からの放送信号は、中継所２１−１に設置された中継装置２０−１によって、信号増幅や波形等化等の処理が施される。中継装置２０−１により処理された放送信号は、中継所２１−１に設置された中継用アンテナを介して中継され、エンドユーザの各家庭などに設置される受信用アンテナを介して、テレビ受像機等の受信装置３０により受信される。
【００２２】
送信装置１０−２は、送信装置１０−１と同様に、放送番組等のコンテンツのデータを処理し、その結果得られる放送信号を、送信所１１−２の送信用アンテナにより送信する。
【００２３】
中継装置２０−２は、中継装置２０−１と同様に、送信所１１−２からの放送信号を処理し、その結果得られる放送信号を、中継所２１−２の中継用アンテナにより中継する。中継所２１−２からの放送信号は、エンドユーザの各家庭などに設置される受信装置３０により受信される。
【００２４】
ここで、送信装置１０−１と送信装置１０−２によって、チャンネルボンディングを利用した放送信号の伝送が行われる場合を想定する。
【００２５】
この場合には、例えば、6MHzの帯域幅からなる異なる２つのチャンネル（RFチャンネル）を結合して得られる合計12MHz（6MHz × 2）の周波数帯域を利用して、１つのストリームから分割された第１分割ストリームを含む放送信号（RF1）と、第２分割ストリームを含む放送信号（RF2）とを送出することができる。なお、ここでは、説明の都合上、分割ストリームを一例に説明するが、チャンネルボンディングを利用することで、様々なストリームを伝送することができる。
【００２６】
例えば、送信装置１０−１により送信される放送信号（RF1）は、その中心周波数が、Freq = f11とされ、ブロードキャストストリームIDが、BS_ID = R11とされる。一方で、送信装置１０−２により送信される放送信号（RF2）は、その中心周波数が、Freq = f12とされ、ブロードキャストストリームIDが、BS_ID = R12とされる。
【００２７】
また、中継所２１−１と中継所２１−２においては、その親局となる送信所１１−１と送信所１１−２での周波数帯域と別の周波数帯域が使用される（周波数帯域が変更される）のが通常である。すなわち、放送システム１において、送信装置１０−１、送信装置１０−２、中継装置２０−１、及び中継装置２０−２は、複数周波数ネットワーク（MFN：Multi Frequency Networks）を構成している。
【００２８】
そのため、中継装置２０−１により送信される放送信号（RF1'）は、その中心周波数が、Freq = f21とされ、ブロードキャストストリームIDが、BS_ID = R21とされる。一方で、中継装置２０−２により送信される放送信号（RF2'）は、その中心周波数が、Freq = f22とされ、ブロードキャストストリームIDが、BS_ID = R22とされる。
【００２９】
ところで、チャンネルボンディングが規定された現状の規格では、その物理層のシグナリングとして、チャンネルボンディングを実現するための情報が配置される。例えば、ATSC3.0では、物理層シグナリングを構成するL1Dシグナリング（L1-Detail Signaling）に、チャンネルボンディングに関する情報が配置されている。
【００３０】
ここで、図２には、L1Dシグナリングのシンタックスの例を示している。
【００３１】
ただし、図２のシンタックスには、L1Dシグナリングのうち、特に本技術に関係する部分を抜粋して記述している。なお、L1Dシグナリングについては、上述した非特許文献１の「Table 9.8 L1-Detail Signaling Fields and Syntax」にその詳細な内容が記述されている。
【００３２】
4ビットのL1D_versionは、L1Dシグナリングのバージョンを表している。
【００３３】
3ビットのL1D_num_rfは、チャンネルボンディングを構成する周波数帯域の個数を表している。L1D_num_rfによって、チャンネルボンディングが行われているかどうかを判別することが可能となる。このL1D_num_rfに応じたループ内には、L1D_rf_frequencyが配置される。
【００３４】
19ビットのL1D_rf_frequencyは、チャンネルボンディングにより結合されるRFチャンネルの中心周波数を表している。なお、この中心周波数は、対象のRFチャンネル以外の他のRFチャンネルの中心周波数とされ、他のRFチャンネルが複数存在している場合には、それに応じた複数のL1D_rf_frequencyが配置される。
【００３５】
図１の説明に戻り、例えば、放送信号（RF1）に含まれるL1Dシグナリングには、他のRFチャンネルの中心周波数として、L1D_rf_frequency = f12 が配置される。この中心周波数は、放送信号（RF2）の中心周波数、すなわち、チャンネルボンディングにより連結される相手側（送信所１１−２側）のRFチャンネルの中心周波数が指定されている。
【００３６】
また、例えば、放送信号（RF2）に含まれるL1Dシグナリングには、他のRFチャンネルの中心周波数として、L1D_rf_frequency = f11 が配置され、チャンネルボンディングにより連結される相手側（送信所１１−１側）のRFチャンネルの中心周波数（放送信号（RF1）の中心周波数）が指定されている。
【００３７】
このとき、中継所２１−１では、親局である送信所１１−１と別の周波数帯域が使用され、中継所２１−２では、親局である送信所１１−２と別の周波数帯域が使用されるが、L1Dシグナリングの内容は更新されていないため、L1D_rf_frequencyが示す中心周波数が、中継所２１−１と中継所２１−２に対応したものとなっていない。
【００３８】
すなわち、放送信号（RF1'）に含まれるL1Dシグナリングには、他のRFチャンネルの中心周波数として、L1D_rf_frequency = f12 が配置されているが、この中心周波数は、送信所１１−２のRFチャンネルの中心周波数（Freq = f12）であって、中継所２１−２のRFチャンネルの中心周波数（Freq = f22）ではない。
【００３９】
同様にまた、放送信号（RF2'）に含まれるL1Dシグナリングには、他のRFチャンネルの中心周波数として、L1D_rf_frequency = f11 が配置されているが、この中心周波数は、送信所１１−１のRFチャンネルの中心周波数（Freq = f11）であって、中継所２１−１のRFチャンネルの中心周波数（Freq = f21）ではない。
【００４０】
このように、現状の規格では、中継所２１−１の中継装置２０−１と、中継所２１−２の中継装置２０−２で、RFチャンネルの周波数帯域が変更されるが、L1Dシグナリングの内容が更新されないため、使用している周波数帯域（新しい周波数帯域）と、L1DシグナリングのL1D_rf_frequencyが示す中心周波数（古い周波数帯域）との間に、不整合が生じている。
【００４１】
そのため、受信装置３０では、放送信号（RF1'）又は放送信号（RF2'）に含まれる物理層のシグナリング（L1Dシグナリング）を処理しても、チャンネルボンディングを構成する信号を検知することができない。つまり、例えば、受信装置３０では、放送信号（RF1'）に含まれる第１分割ストリームと、放送信号（RF2'）に含まれる第２分割ストリームとから、元のストリームを再構成（復元）することはできない。
【００４２】
そこで、本技術では、物理層のシグナリング（L1Dシグナリング）において、チャンネルボンディングに関する周波数情報の代わりに、チャンネルボンディングを構成するグループの識別情報と、そのグループに属する周波数帯域の識別情報とが配置されるようにする。
【００４３】
これにより、中継所２１を経由して周波数帯域が変更された場合であっても、受信装置３０側では、チャンネルボンディングを構成する信号を検知することが可能となって、より確実に、チャンネルボンディングを行うことができる。
【００４４】
以下、本技術の内容について、具体的な実施の形態により説明するものとする。
【００４５】
（本技術のチャンネルボンディング）
図３は、本技術を適用したシグナリングを用いたチャンネルボンディングを説明する図である。
【００４６】
図３の放送システム２は、図１の放送システム１と同様に、送信所１１−１，１１−２に設置される送信装置１０−１，１０−２と、中継所２１−１，２１−２に設置される中継装置２０−１，２０−２と、家庭内に設置される受信装置３０とから構成される。
【００４７】
なお、受信装置３０は、テレビ受像機やセットトップボックス（STB：Set Top Box）、パーソナルコンピュータ、ゲーム機などの固定受信機、あるいは、スマートフォンや携帯電話機、タブレット型コンピュータなどのモバイル受信機として構成される。さらに、受信装置３０は、ヘッドマウントディスプレイ（HMD：Head Mounted Display）などのウェアラブルコンピュータであってもよい。
【００４８】
ここで、図３の放送システム２においても、送信装置１０−１と送信装置１０−２によって、チャンネルボンディングを利用した放送信号の伝送が行われ、例えば、6MHzの帯域幅からなる異なる２つのRFチャンネルを結合して得られる合計12MHzの周波数帯域を利用して、例えば、１つのストリームから分割された第１分割ストリームを含む放送信号（RF1）と、第２分割ストリームを含む放送信号（RF2）とが送出される。
【００４９】
なお、チャンネルボンディングを行う際には、例えば、VHF(Very High Frequency)と、UHF(Ultra High Frequency)などの異なる周波数帯を組み合わせることで、よりロバストな伝送を行うことができる。
【００５０】
そして、放送システム２は、複数周波数ネットワーク（MFN）として構成されるため、送信装置１０−１から送出された放送信号（RF1）は、中継装置２０−１によって、その中心周波数（Freq）が、f11からf21に変更され、放送信号（RF1'）として送出される。また、送信装置１０−２から送出された放送信号（RF2）は、中継装置２０−２によって、その中心周波数（Freq）が、f12からf22に変更され、放送信号（RF2'）として送出される。
【００５１】
そのため、現状の規格においては、使用している変更後の周波数帯域（Freq = f21，f22）と、L1DシグナリングのL1D_rf_frequencyが示す変更前の中心周波数（Freq = f11，f12）との間に、不整合が生じているのは、先に述べた通りである。
【００５２】
ここで、本技術では、このような不整合を解消するために、L1Dシグナリングにおいて、L1D_rf_frequencyの代わりに、L1D_bsid，L1D_rf_idが配置されるようにする。
【００５３】
L1D_bsidには、チャンネルボンディングを構成するグループを識別するための情報として、ブロードキャストストリームID（BS_ID）が指定される。
【００５４】
ブロードキャストストリームIDは、放送の物理層帯域に割り当てられる識別子であって、米国の連邦通信委員会（FCC：Federal Communications Commission）や日本の総務省などの各国の機関により発行される固有の値（ユニークな値）である。
【００５５】
L1D_rf_idには、L1D_bsidにより識別されるチャンネルボンディングを構成するグループに属する周波数帯域を識別するための情報として、当該グループ内で固有になる値（例えば、0，1，2，・・・）が指定される。このL1D_rf_idに、固有な値を指定することで、中継装置２０−１，２０−２の前後で、放送信号が同一であるかどうかを判別することが可能となる。
【００５６】
例えば、放送信号（RF1）に含まれるL1Dシグナリングには、L1D_bsid = R11 が配置され、チャンネルボンディングを構成する周波数帯域のうち、グループ内で、最も低い周波数帯域（１番目の周波数帯域（RF1））のブロードキャストストリームIDが指定されている。
【００５７】
また、放送信号（RF1）のL1Dシグナリングには、L1D_rf_id = 0 が配置され、チャンネルボンディングを構成する周波数帯域のうち、対象の周波数帯域（RF1）を識別するためのIDが指定されている。
【００５８】
同様に、例えば、放送信号（RF2）に含まれるL1Dシグナリングには、L1D_bsid = R11 が配置され、チャンネルボンディングを構成する周波数帯域のうち、最も低い周波数帯域（RF1）のブロードキャストストリームIDが指定されている。また、放送信号（RF2）のL1Dシグナリングには、L1D_rf_id = 1 が配置され、チャンネルボンディングを構成する周波数帯域のうち、対象の周波数帯域（RF2）を識別するためのIDが指定されている。
【００５９】
このように、チャンネルボンディングの対象となる各放送信号（RF1，RF2）で伝送されるL1Dシグナリングでは、当該チャンネルボンディングを構成するグループの識別情報として、共通のブロードキャストストリームID（この例では、最も低い周波数帯域（RF1）のBS_ID）が指定されている。
【００６０】
また、このL1Dシグナリングでは、当該チャンネルボンディングを構成するグループに属する周波数帯域の識別情報として、固有な値（この例では、0，1）が指定されている。
【００６１】
そして、L1Dシグナリングに、L1D_bsid，L1D_rf_idが配置されるようにすることで、現状の規格で生じている、中継装置２０−１，２０−２での周波数帯域の変更に起因した、使用している変更後の周波数帯域（Freq = f21，f22）と、L1DシグナリングのL1D_rf_frequencyが示す変更前の中心周波数（Freq = f11，f12）との間の不整合を解消することができる。
【００６２】
例えば、放送信号（RF1）に含まれるL1Dシグナリングには、L1D_bsid = R11，L1D_rf_id = 0 が配置され、放送信号（RF2）に含まれるL1Dシグナリングには、L1D_bsid = R11，L1D_rf_id = 1 が配置されている。
【００６３】
これらのL1Dシグナリングには共に、L1D_bsidとして、R11である共通のブロードキャストストリームIDが含まれるため、このBS_IDによって、放送信号（RF1）と放送信号（RF2）とが、チャンネルボンディングを構成する同一のグループに属していることが識別される。また、L1D_rf_idとして、0と1がそれぞれ指定されているが、これらの固有な値によって、チャンネルボンディングを構成するグループに属する周波数帯域（放送信号）が識別される。
【００６４】
そのため、中継装置２０−１と中継装置２０−２によって、RFチャンネルの周波数が変更された場合に、L1Dシグナリングの内容が更新されないときでも、L1D_bsidによって、チャンネルボンディングを構成するグループ（R11）を識別することが可能となる。また、L1D_rf_idによって、チャンネルボンディングを構成するグループ内の個々の放送信号（RF1，RF2や、RF1'，RF2'）を識別することが可能となる。
【００６５】
換言すれば、本技術のL1Dシグナリングには、チャンネルボンディングの周波数情報（L1D_rf_frequency）の代わりに、L1D_bsid，L1D_rf_idを含めているため、中継装置２０−１，２０−２による周波数帯域の変更に関係なく、チャンネルボンディングを構成するグループや、そのグループに属する放送信号を識別することができる。
【００６６】
そして、受信装置３０においては、放送信号（RF1'）又は放送信号（RF2'）に含まれるL1Dシグナリング（のL1D_bsid，L1D_rf_id）を処理することで、チャンネルボンディングを構成する同一のグループの信号を検知して、例えば、放送信号（RF1'）に含まれる第１分割ストリームと、放送信号（RF2'）に含まれる第２分割ストリームとから、元のストリームを再構成（復元）することができる。
【００６７】
ここで、図４に示すように、受信装置３０が、中継装置２０−１の前後の放送信号、すなわち、送信装置１０−１からの放送信号（RF1）と、中継装置２０−１からの放送信号（RF1'）を、両方受信した場合を想定する。
【００６８】
この場合に、受信装置３０では、L1Dシグナリング（のL1D_bsid，L1D_rf_id）を処理することで、L1D_bsid = R11，L1D_rf_id = 0 が共に指定されていることから、放送信号（RF1）と放送信号（RF1'）とが、同一の放送信号であることを識別することができる。
【００６９】
受信装置３０は、例えば受信時の信号品質や信号強度などの基準を用いた処理を行うことで、放送信号（RF1）と放送信号（RF1'）のいずれか一方の放送信号を選択することができる。そして、例えば、受信装置３０は、当該選択した放送信号（RF1又はRF1'）に含まれる第１分割ストリームと、中継装置２０−２からの放送信号（RF2'）に含まれる第２分割ストリームから、元のストリームを再構成することができる。
【００７０】
なお、上述した現状の規格（図２のL1Dシグナリング）では、L1D_rf_idが、チャンネルボンディングを構成する中心周波数のリストの順序により示され、暗黙（implicit）の値となっていたが、本技術では、L1D_rf_idに固有な値を指定して、これを明示（explicit）の値とすることで、中継装置２０の前後の放送信号が、同一の放送信号であるかどうかの判別に用い、混信が抑制されるようにしている。
【００７１】
＜２．シグナリングの例＞
【００７２】
（第１の例）
図５は、本技術を適用したL1Dシグナリングのシンタックスの第１の例を示す図である。
【００７３】
ただし、図５のシンタックスには、L1Dシグナリングのうち、図２に示した現状の規格のL1Dシグナリングに対応する部分のみを抜粋して記述している。
【００７４】
図５のL1Dシグナリングにおいては、図２のL1Dシグナリングと同様に、L1Dシグナリングのバージョンを表したL1D_versionと、チャンネルボンディングを構成する周波数帯域の個数を表したL1D_num_rfとが配置される。
【００７５】
3ビットのL1D_num_rfが、L1D_num_rf > 0 となる場合、すなわち、チャンネルボンディングが行われる場合には、L1D_bsidと、L1D_rf_idが配置される。
【００７６】
16ビットのL1D_bsidは、チャンネルボンディングを構成するグループを識別するブロードキャストストリームID（BS_ID）を表している。
【００７７】
このブロードキャストストリームIDとしては、例えば、チャンネルボンディングを構成する周波数帯域のうち、グループ内で、最も低い周波数帯域（１番目の周波数帯域（RF1））のブロードキャストストリームID（BS_ID）を指定することができる。
【００７８】
3ビットのL1D_rf_idは、チャンネルボンディングを構成するグループに属する周波数帯域を識別するIDを表している。この周波数帯域のIDとしては、例えば、0，1，2，・・・ などの当該グループ内で、固有な値が指定される。
【００７９】
図５のL1Dシグナリングのシンタックスの例では、L1D_num_rf > 0 となる場合に配置されるL1D_bsidとL1D_rf_idのビット数が、16ビットと3ビットで、合計19ビットとなるため、現状の規格のL1DシグナリングのL1D_rf_frequencyの19ビットと同一のビット数となる。
【００８０】
一方で、現状の規格のL1Dシグナリングでは、L1D_num_rfに応じたループ内に、19ビットのL1D_rf_frequencyが配置されていたため、L1D_num_rf > 0 となる場合に、16ビットのL1D_bsidと、3ビットのL1D_rf_idが配置される、本技術のL1Dシグナリングとは、その互換性が失われることになるが、余分な情報を含めなくてよいため、情報量を最適化することができる。
【００８１】
すなわち、本技術のL1Dシグナリングでは、16ビットのL1D_bsidと、3ビットのL1D_rf_idという最低限必要となる情報のみを伝送しているため、L1Dシグナリングの情報量の最適化を可能にすることができる。その結果として、受信装置３０の動作を簡便にすることができる。
【００８２】
なお、図５において、フォーマット（format）として、uimsbf(unsigned integer most significant bit first)が指定された場合、ビット演算をして、整数として扱われることを意味している。
【００８３】
（第２の例）
図６は、本技術を適用したL1Dシグナリングのシンタックスの第２の例を示す図である。
【００８４】
ただし、図６のシンタックスには、L1Dシグナリングのうち、図２に示した現状の規格のL1Dシグナリングに対応する部分のみを抜粋して記述している。
【００８５】
図６のL1Dシグナリングにおいては、図２のL1Dシグナリングと同様に、L1Dシグナリングのバージョンを表したL1D_versionと、チャンネルボンディングを構成する周波数帯域の個数を表したL1D_num_rfとが配置される。
【００８６】
3ビットのL1D_num_rfに応じたループには、L1D_bsidと、L1D_rf_idが配置される。
【００８７】
16ビットのL1D_bsidは、チャンネルボンディングを構成するグループを識別するブロードキャストストリームID（BS_ID）を表し、例えば、グループ内で、最も低い周波数帯域のブロードキャストストリームID（BS_ID）を指定することができる。
【００８８】
3ビットのL1D_rf_idは、チャンネルボンディングを構成するグループに属する周波数帯域を識別するIDを表し、例えば、0，1，2，・・・ などの当該グループ内で、固有な値が指定される。
【００８９】
図６のL1Dシグナリングのシンタックスの例では、L1D_num_rfに応じたループ内に配置されるL1D_bsidとL1D_rf_idのビット数が、16ビットと3ビットで、合計19ビットとなるため、現状の規格のL1DシグナリングのL1D_rf_frequencyの19ビットと同一のビット数となる。
【００９０】
さらに、図６のL1Dシグナリングのシンタックスの例では、現状の規格のL1Dシグナリングと同様に、L1D_num_rfに応じたループ内に、合計19ビットのL1D_bsidとL1D_rf_idが配置されるため、現状の規格のL1Dシグナリングとの互換性を確保することができる。ただし、図６のL1Dシグナリングのシンタックスの例では、２周目以降のループ内の情報は不要であるため、その情報を、将来の予約（reserved）として確保するようにする。
【００９１】
＜３．上位層でのシグナリングの例＞
【００９２】
（PLPレベルのCB）
図７は、PLPレベルのチャンネルボンディングの例を示している。
【００９３】
図７においては、ブロードキャストストリームIDとして、BS_ID = R11，R12，R13 がそれぞれ設定されている３つのRFチャンネル（周波数帯域）が結合されて、チャンネルボンディングがなされている。
【００９４】
１つ目のRFチャンネル（BS_ID = R11）の放送信号に含まれるL1Dシグナリングでは、L1D_bsid = R11，L1D_rf_id = 0 が指定される。また、１つ目のRFチャンネルでは、PLP_ID = 0, 1, 2 で識別される３つのPLP(Physical Layer Pipe)が伝送される。
【００９５】
２つ目のRFチャンネル（BS_ID = R12）の放送信号に含まれるL1Dシグナリングでは、L1D_bsid = R11，L1D_rf_id = 1 が指定される。また、２つ目のRFチャンネルでは、１つ目のRFチャンネルと同様に、PLP_ID = 0, 1, 2 で識別される３つのPLPが伝送される。
【００９６】
３つ目のRFチャンネル（BS_ID = R13）の放送信号に含まれるL1Dシグナリングでは、L1D_bsid = R11，L1D_rf_id = 2 が指定される。また、３つ目のRFチャンネルでは、１つ目のRFチャンネルと同様に、PLP_ID = 0, 1, 2 で識別される３つのPLPが伝送される。
【００９７】
すなわち、３つのRFチャンネル（BS_ID = R11，R12，R13）が結合されることで、チャンネルボンディングがなされているが、これは、各チャンネルのL1Dシグナリングで、同一のL1D_bsid（R11：最も低い周波数帯域のRFチャンネルに割り当てられたBS_ID）が指定されることで、同一のチャンネルボンディングのグループに属していることが識別される。
【００９８】
また、各チャンネルのL1Dシグナリングでは、それぞれが異なるL1D_rf_id（0, 1, 2：固有な値）が指定されることで、チャンネルボンディングのグループに属している各RFチャンネル（周波数帯域）が識別される。
【００９９】
ここで、PLP#0においては、RFチャンネル（BS_ID = R11）のPLP（PLP_ID = 0）と、RFチャンネル（BS_ID = R12）のPLP（PLP_ID = 0）と、RFチャンネル（BS_ID = R13）のPLP（PLP_ID = 0）とを利用して、PLPレベルでのチャンネルボンディングが行われている。
【０１００】
また、PLP#1においては、RFチャンネル（BS_ID = R11）のPLP（PLP_ID = 1）と、RFチャンネル（BS_ID = R12）のPLP（PLP_ID = 1）とを利用して、PLPレベルでのチャンネルボンディングが行われている。さらに、PLP#2においては、RFチャンネル（BS_ID = R11）のPLP（PLP_ID = 2）と、RFチャンネル（BS_ID = R13）のPLP（PLP_ID = 2）とを利用して、PLPレベルでのチャンネルボンディングが行われている。
【０１０１】
このとき、各チャンネルのL1Dシグナリングでは、L1D_bsid，L1D_rf_idを含んでいるが、これらのフィールドは、周波数帯域レベルのシグナリングとなるため、PLPレベルでのチャンネルボンディングでの動作に影響を及ぼすことはない。
【０１０２】
（CBの情報を含む上位層シグナリング）
図８は、チャンネルボンディングのシグナリングを上位層で行う場合の例を示す図である。
【０１０３】
図８においては、図７と同様に、BS_ID = R11，R12，R13 がそれぞれ設定されている３つのRFチャンネル（周波数帯域）が結合されることで、チャンネルボンディングがなされている。
【０１０４】
ここで、PLP#0は、RFチャンネル（BS_ID = R11）のPLP（PLP_ID = 0）のみを利用しており、PLPレベルでのチャンネルボンディングは行われていない。
【０１０５】
また、PLP#1においては、RFチャンネル（BS_ID = R11）のPLP（PLP_ID = 1）と、RFチャンネル（BS_ID = R12）のPLP（PLP_ID = 1）とを利用して、PLPレベルでのチャンネルボンディングが行われている。さらに、PLP#2においては、RFチャンネル（BS_ID = R11）のPLP（PLP_ID = 2）と、RFチャンネル（BS_ID = R13）のPLP（PLP_ID = 2）とを利用して、PLPレベルでのチャンネルボンディングが行われている。
【０１０６】
このとき、PLP#0は、チャンネルボンディングの対象外のPLPとなるので、受信装置３０においては、BS_ID = R11，PLP_ID = 0 に対応した放送信号を選局することで、当該放送信号から得られるストリームから、上位層シグナリングを取得することができる。
【０１０７】
本技術では、この上位層シグナリングに、チャンネルボンディングに関する情報を含める。例えば、このチャンネルボンディングに関する情報としては、ブロードキャストストリームID（BS_ID）の一覧や、地域ごとの周波数情報として、ブロードキャストストリームIDと周波数帯域との対応を示す情報などを含めることができる。
【０１０８】
すなわち、L1Dシグナリング等の物理層シグナリングでは、情報量を少なくする必要があるが、上位層シグナリングでは、より多くの情報を含めることができるため、様々な情報を含めることが可能となる。そして、受信装置３０では、この上位層シグナリングに含まれる、チャンネルボンディングに関する情報を処理することで、物理層でのチャンネルボンディングに関する処理を行うことができる。
【０１０９】
なお、上位層シグナリングは、物理層よりも上位の上位層のシグナリングである。この上位層シグナリングには、例えば、ATSC3.0で規定されるSLT(Service List Table)のbsid属性で指定される、ブロードキャストストリームIDを含めることができる。SLTについては、下記の非特許文献２の「6.3.1 SLT Syntax Description」にその詳細が記載されている。
【０１１０】
非特許文献２：ATSC Candidate Standard：Signaling, Delivery, Synchronization, and Error Protection (A/331)
【０１１１】
＜４．送信側と受信側の処理の例＞
【０１１２】
（送信装置の構成例）
図９は、図３又は図４の送信装置１０（１０−１，１０−２）の構成例を示すブロック図である。
【０１１３】
図９において、送信装置１０は、受信部１０１、データ処理部１０２、及び送信部１０３から構成される。
【０１１４】
受信部１０１は、例えば、通信インターフェース回路等として構成される。受信部１０１は、通信回線等の所定の伝送路を介して、放送局側のデータ処理装置（不図示）から送信されてくるデータを受信し、データ処理部１０２に供給する。
【０１１５】
なお、チャンネルボンディングが行われる場合において、放送局側のデータ処理装置（不図示）からのデータは、例えば、１つのストリームから分割された第１分割ストリームや第２分割ストリームを含むデータとされる。
【０１１６】
データ処理部１０２は、例えば、各種の信号を処理する信号処理回路等として構成される。データ処理部１０２は、受信部１０１から供給されるデータを処理して、所定の放送方式（例えば、ATSC3.0等）に準拠した物理層フレームを生成し、送信部１０３に供給する。
【０１１７】
また、データ処理部１０２は、生成部１１１を含んで構成される。生成部１１１は、物理層フレームを生成するに際して、そのプリアンブルに配置される物理層シグナリングを生成する。この物理層シグナリングとしては、例えば、L1Dシグナリングが生成される。
【０１１８】
送信部１０３は、変調器としての変調部１２１を含んで構成される。変調部１２１は、データ処理部１０２から供給されるデータに対し、必要な処理（例えば、OFDM(Orthogonal Frequency Division Multiplexing)変調処理等）を施し、その結果得られる放送信号（RF1又はRF2）を、送信所１１の送信用アンテナにより送信する。
【０１１９】
送信装置１０は、以上のように構成される。
【０１２０】
（受信装置の構成例）
図１０は、図３又は図４の受信装置３０の構成例を示すブロック図である。
【０１２１】
図１０において、受信装置３０は、受信部３０１、データ処理部３０２、及び出力部３０３から構成される。また、受信部３０１は、受信部３０１−１と、受信部３０１−２から構成される。
【０１２２】
受信部３０１−１は、例えば、チューナや復調器などとして構成される。受信部３０１−１は、受信用アンテナを介して受信される放送信号（RF1'）に対し、必要な処理を施し、その結果得られるデータを、データ処理部３０２に供給する。また、受信部３０１−１は、復調部３１１−１を含んで構成される。
【０１２３】
復調部３１１−１は、復調LSI(Large Scale Integration)等の復調器として構成される。復調部３１１−１は、受信された放送信号（RF1'）に対し、OFDM復調処理等の復調処理を行う。例えば、この復調処理では、L1Dシグナリングに基づいて、物理層フレームが処理され、放送信号（RF1'）に含まれる第１分割ストリームが得られる。
【０１２４】
受信部３０１−２は、例えば、チューナや復調器などとして構成される。受信部３０１−２は、受信用アンテナを介して受信される放送信号（RF2'）に対し、必要な処理を施し、その結果得られるデータを、データ処理部３０２に供給する。また、受信部３０１−２は、復調部３１１−２を含んで構成される。
【０１２５】
復調部３１１−２は、復調LSI等の復調器として構成され、受信された放送信号（RF2'）に対し、OFDM復調処理等の復調処理を行う。例えば、この復調処理では、L1Dシグナリングに基づいて、物理層フレームが処理され、放送信号（RF2'）に含まれる第２分割ストリームが得られる。
【０１２６】
データ処理部３０２は、例えば、システムオンチップ（SoC：System On Chip）等として構成される。データ処理部３０２は、受信部３０１−１及び受信部３０１−２から供給されるデータに対し、各種の信号処理を施し、それにより得られるデータを、出力部３０３に供給する。
【０１２７】
なお、ここでは、例えば、上位層シグナリングに基づいて、ストリームの復号処理や再生処理等が行われる。
【０１２８】
また、データ処理部３０２は、処理部３２１を含んで構成される。処理部３２１は、例えば、受信部３０１−１の復調部３１１−１からの第１分割ストリームと、受信部３０１−２の復調部３１１−２からの第２分割ストリームとを合成し、元のストリームを再構成（復元）する。
【０１２９】
出力部３０３は、例えば、スピーカや表示装置（例えば、LCDやOLED）等から構成される。出力部３０３は、データ処理部３０２からのデータに基づいて、放送番組等のコンテンツの映像や音声を出力する。
【０１３０】
なお、図１０の構成では、説明の簡略化のため、図３又は図４の構成に合わせて、受信部３０１−１と受信部３０１−２の２つの受信部が設けられる構成を例示しているが、受信部３０１は、チャンネルボンディングで結合されるRFチャンネルの数に応じて設けられる。
【０１３１】
受信装置３０は、以上のように構成される。
【０１３２】
（送信側と受信側の処理の流れ）
次に、図１１のフローチャートを参照して、送信側と受信側のデータ処理の流れについて説明する。
【０１３３】
なお、送信側のデータ処理は、図３又は図４の送信装置１０−１及び送信装置１０−２により実行される処理となるが、ここでは、送信装置１０−１により実行される処理を中心に説明する。また、受信側データ処理は、図３又は図４の受信装置３０により実行される処理である。
【０１３４】
まず、送信装置１０−１では、次のステップＳ１１乃至Ｓ１３の処理が実行される。
【０１３５】
ステップＳ１１において、データ処理部１０２は、１つのストリームから分割された第１分割ストリームを処理する。
【０１３６】
ステップＳ１２において、データ処理部１０２の生成部１１１は、L1Dシグナリングを生成する。このL1Dシグナリングとしては、例えば、L1D_bsid = R11と、L1D_rf_id = 0 が指定される。
【０１３７】
ステップＳ１３において、送信部１０３は、ステップＳ１１の処理で処理された第１分割ストリームと、ステップＳ１２の処理で生成されたL1Dシグナリングを含む放送信号（RF1）を、送信所１１−１の送信用アンテナにより送信する。
【０１３８】
なお、送信装置１０−２においても、送信装置１０−１と同様の処理が行われ、第２分割ストリームとL1Dシグナリング（L1D_bsid = R11と、L1D_rf_id = 1）を含む放送信号（RF2）が、送信所１１−２の送信用アンテナにより送信される。
【０１３９】
また、送信装置１０−１により送信された放送信号（RF1）は、中継所２１−１の中継装置２０−１により処理され、放送信号（RF1'）として送信される。一方で、送信装置１０−２により送信された放送信号（RF2）は、中継所２１−２の中継装置２０−２により処理され、放送信号（RF2'）として送信される。
【０１４０】
次に、受信装置３０では、次のステップＳ３１乃至Ｓ３３の処理が実行される。
【０１４１】
ステップＳ３１において、受信部３０１−１は、中継装置２０−１から送信されてくる放送信号（RF1'）を受信する。また、ステップＳ３１において、受信部３０１−２は、中継装置２０−２から送信されてくる放送信号（RF2'）を受信する。
【０１４２】
ステップＳ３２において、受信部３０１−１の復調部３１１−１は、放送信号（RF1'）から得られる物理層フレームに含まれるL1Dシグナリングを処理する。また、受信部３０１−２の復調部３１１−２は、放送信号（RF2'）から得られる物理層フレームに含まれるL1Dシグナリングを処理する。
【０１４３】
ここで、放送信号（RF1'）から得られるL1Dシグナリングには、L1D_bsid = R11と、L1D_rf_id = 0 が指定され、放送信号（RF2'）から得られるL1Dシグナリングには、L1D_bsid = R11と、L1D_rf_id = 1 が指定されている。そのため、受信装置３０においては、中継装置２０−１，２０−２を経由して周波数帯域が変更された場合であっても、チャンネルボンディングを構成する信号を検知することが可能となる。
【０１４４】
ステップＳ３３においては、ステップＳ３２の処理で処理されたL1Dシグナリングに基づいて、ストリームが処理される。
【０１４５】
ここでは、受信部３０１−１の復調部３１１−１によって、物理層フレームが処理され、放送信号（RF1'）に含まれる第１分割ストリームが得られる。また、受信部３０１−２の復調部３１１−２によって、物理層フレームが処理され、放送信号（RF2'）に含まれる第２分割ストリームが得られる。
【０１４６】
そして、データ処理部３０２の処理部３２１は、第１分割ストリームと第２分割ストリームとを合成して、元のストリームを再構成（復元）する。これにより、出力部３０３では、放送番組等のコンテンツの映像や音声が出力される。
【０１４７】
以上、送信側と受信側のデータ処理について説明した。
【０１４８】
＜５．変形例＞
【０１４９】
（他の規格への適用）
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０１５０】
また、デジタル放送の規格としては、地上波放送のほか、放送衛星（BS：Broadcasting Satellite)や通信衛星（CS：Communications Satellite）等を利用した衛星放送や、ケーブルテレビ（CATV）等の有線放送などの規格に適用することができる。
【０１５１】
（チャンネルボンディングの他の例）
なお、上述した説明では、説明の簡略化のため、チャンネルボンディングにより結合されるRFチャンネルが２つの場合を例示したが、３つ以上のRFチャンネルが、チャンネルボンディングにより結合されるようにしてもよい。また、上述したように、チャンネルボンディングを利用して伝送されるストリームは、１つのストリームから分割された分割ストリームに限らず、受信装置３０側で処理可能なストリームであれば、様々なストリームを伝送することができる。
【０１５２】
（シグナリングやフィールドの他の名称）
また、上述したシグナリングやそのフィールドの名称は、一例であって、他の名称が用いられる場合がある。ただし、これらの名称の違いは、形式的な違いであって、対象のシグナリングやフィールドの実質的な内容が異なるものではない。例えば、L1Dシグナリングは、物理層シグナリングであって、他の名称となる場合がある。また、L1D_bsidやL1D_rf_idについても、他の名称が用いられるようにしてもよい。
【０１５３】
また、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、放送システム２（図３又は図４）の伝送路として、インターネットや電話網などの通信回線が利用され、送信装置１０は、インターネット上に設けられたサーバとすることができる。そして、当該通信サーバと、受信装置３０とが、通信回線等の伝送路を介して双方向の通信を行うことになる。
【０１５４】
＜６．コンピュータの構成＞
【０１５５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１２は、上述した一連の処理をプログラムにより実行するコンピュータのハードウェアの構成例を示す図である。
【０１５６】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１５７】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１５８】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１５９】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１６０】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１６１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１６２】
なお、本技術の実施の形態は、上述した実施の形態に限定されるものではなく、本技術の要旨を逸脱しない範囲において種々の変更が可能である。
【０１６３】
また、本技術は、以下のような構成をとることができる。
【０１６４】
（１）
チャンネルボンディングを構成する周波数帯域のグループを識別する第１の識別情報と、前記グループに属する周波数帯域を識別する第２の識別情報とを含めた物理層シグナリングを生成する生成部と、
前記物理層シグナリングを含む放送信号であって、中継装置により周波数帯域が変更される前記放送信号を、所定の周波数帯域を利用して送信する送信部と
を備える送信装置。
（２）
前記第１の識別情報は、物理層の周波数帯域に割り当てられる識別子であり、
前記第２の識別情報は、前記グループ内で固有な値であって、送信時に利用される周波数帯域に割り当てられる識別子である
前記（１）に記載の送信装置。
（３）
前記第１の識別情報は、前記グループ内で共通であって、物理層の周波数帯域のうち、前記グループ内のいずれかの周波数帯域に割り当てられる識別子である
前記（２）に記載の送信装置。
（４）
前記物理層シグナリングは、前記第１の識別情報と前記第２の識別情報との組を、一組のみ含んでいる
前記（２）又は（３）に記載の送信装置。
（５）
前記物理層シグナリングは、前記グループに属する周波数帯域の個数に応じたループ内に、前記第１の識別情報と前記第２の識別情報との組とともに、将来の予約の領域を含んでいる
前記（２）又は（３）に記載の送信装置。
（６）
前記チャンネルボンディングは、PLP(Physical Layer Pipe)レベルで行われる
前記（１）乃至（５）のいずれかに記載の送信装置。
（７）
前記チャンネルボンディングの対象外のPLPで、物理層よりも上位となる上位層のシグナリングとして、前記チャンネルボンディングに関する情報を含める
前記（６）に記載の送信装置。
（８）
前記放送信号は、前記物理層シグナリングとともに、１つのストリームから分割された分割ストリームを含む
前記（１）乃至（７）のいずれかに記載の送信装置。
（９）
前記送信装置は、送信所に設置され、
前記中継装置は、中継所に設置され、
前記送信装置と前記中継装置とは、複数周波数ネットワーク（MFN：Multi Frequency Networks）を構成している
前記（１）乃至（８）のいずれかに記載の送信装置。
（１０）
送信装置のデータ処理方法において、
前記送信装置が、
チャンネルボンディングを構成する周波数帯域のグループを識別する第１の識別情報と、前記グループに属する周波数帯域を識別する第２の識別情報とを含めた物理層シグナリングを生成し、
前記物理層シグナリングを含む放送信号であって、中継装置により周波数帯域が変更される前記放送信号を、所定の周波数帯域を利用して送信する
ステップを含むデータ処理方法。
（１１）
送信装置から送信されてくる放送信号であって、中継装置により周波数帯域が変更される前記放送信号を受信する受信部を備え、
前記受信部は、前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングを処理する
受信装置。
（１２）
前記第１の識別情報は、物理層の周波数帯域に割り当てられる識別子であり、
前記第２の識別情報は、前記グループ内で固有な値であって、送信時に利用される周波数帯域に割り当てられる識別子である
前記（１１）に記載の受信装置。
（１３）
前記第１の識別情報は、前記グループ内で共通であって、物理層の周波数帯域のうち、前記グループ内のいずれかの周波数帯域に割り当てられる識別子である
前記（１２）に記載の受信装置。
（１４）
前記物理層シグナリングは、前記第１の識別情報と前記第２の識別情報との組を、一組のみ含んでいる
前記（１２）又は（１３）に記載の受信装置。
（１５）
前記物理層シグナリングは、前記グループに属する周波数帯域の個数に応じたループ内に、前記第１の識別情報と前記第２の識別情報との組とともに、将来の予約の領域を含んでいる
前記（１２）又は（１３）に記載の受信装置。
（１６）
前記チャンネルボンディングは、PLPレベルで行われる
前記（１１）乃至（１５）のいずれかに記載の受信装置。
（１７）
前記チャンネルボンディングの対象外のPLPで、物理層よりも上位となる上位層のシグナリングとして、前記チャンネルボンディングに関する情報を含める
前記（１６）に記載の受信装置。
（１８）
前記放送信号は、前記物理層シグナリングとともに、１つのストリームから分割された分割ストリームを含み、
前記分割ストリームを処理する処理部をさらに備え、
前記受信部は、前記チャンネルボンディングで利用される周波数帯域ごとに設けられ、
前記処理部は、前記受信部により受信される複数の前記放送信号から得られる複数の分割ストリームを処理して、元のストリームを再構成する
前記（１１）乃至（１７）のいずれかに記載の受信装置。
（１９）
前記送信装置は、送信所に設置され、
前記中継装置は、中継所に設置され、
前記送信装置と前記中継装置とは、複数周波数ネットワーク（MFN）を構成している
前記（１１）乃至（１８）のいずれかに記載の受信装置。
（２０）
受信装置のデータ処理方法において、
前記受信装置が、
送信装置から送信されてくる放送信号であって、中継装置により周波数帯域が変更される前記放送信号を受信し、
前記放送信号に含まれる物理層シグナリングであって、チャンネルボンディングを構成する周波数帯域のグループを識別する第１の識別情報と、前記グループに属する周波数帯域を識別する第２の識別情報とを含めた前記物理層シグナリングを処理する
ステップを含むデータ処理方法。
【符号の説明】
【０１６５】
２  放送システム，  １０，１０−１，１０−２  送信装置，  ２０，２０−１，２０−２  中継装置，  ３０  受信装置，  １０１  受信部，  １０２  データ処理部，  １０３  送信部，  １１１  生成部，  １２１  変調部，  ３０１，３０１−１，３０１−２  受信部，  ３０２  データ処理部，  ３０３  出力部，  ３１１−１，３１１−２  復調部，  ３２１  処理部，  １０００  コンピュータ，  １００１  CPU
【図１】
2018163813.tif 000003
【図２】
2018163813.tif 000004
【図３】
2018163813.tif 000005
【図４】
2018163813.tif 000006
【図５】
2018163813.tif 000007
【図６】
2018163813.tif 000008
【図７】
2018163813.tif 000009
【図８】
2018163813.tif 000010
【図９】
2018163813.tif 000011
【図１０】
2018163813.tif 000012
【図１１】
2018163813.tif 000013
【図１２】
2018163813.tif 000014
【国際調査報告】
2018163813.tif 000015
2018163813.tif 000016
2018163813.tif 000017
2018163813.tif 000018